(57)【要約】【課題】漬物貯蔵庫における収納式引き出しの開閉をスムーズに行えるようにした、漬物貯蔵庫用ガイドレール部材の締結構造を提供すること。【解決手段】内側ケース１６の下端部の両側面に形成されたガイド溝部１１０と、ガイド溝部１１０に延設される係止側壁１１１と、上端部が係止側壁１１１に固定され、かつ下端部がガイド溝部１１０と所定の間隔を有する固定部材１２０とを備え、固定部材の下端部の一側面が、ガイドレール部材２０の一側面と結合するように構成される。この結果、内側ケースが圧力変形しても、収納式引き出しを開閉する時、円滑にスライド動作させることができる。【選択図】図４
2004024031.tif 000002
【特許請求の範囲】
【請求項１】
漬物貯蔵庫の内側ケース内に収納して、野菜を新鮮なまま保管する収納式引き出しと、前記内側ケースの下端部の両側面に形成されたガイド溝部との間に取り付けられる漬物貯蔵庫用ガイドレール部材の締結構造であって、
前記ガイド溝部の端部から外側に延在する係止側壁と、
上端部が前記係止側壁に固定され、かつ下端部が前記ガイド溝部との間に所定の間隔を有する固定部材とを備え、
前記ガイドレール部材の固定側を前記固定部材の下端部の一側面に結合し、前記ガイドレール部材の移動側を前記収納式引き出しの側面に結合することを特徴とするガイドレール部材の締結構造。
【請求項２】
前記固定部材の下端部が、前記ガイド溝部の内側方向に折曲して形成されることを特徴とする請求項１に記載の締結構造。
【請求項３】
前記固定部材の下端部と前記ガイド溝部との間の間隔が、約１ｍｍに維持されることを特徴とする請求項１に記載の締結構造。
【請求項４】
キムチなどの漬物を冷却したり熟成したりする漬物貯蔵庫本体と、この漬物貯蔵庫本体を上部から閉じることができ、ヒンジによって動作可能な上部ドアと、前記本体の前面に形成された把手により水平に開閉でき、野菜を新鮮なまま保管することができる収納式引き出しと、前記収納式引き出しを収納する内側ケースとを含んでいる漬物貯蔵庫において、前記内側ケースと前記収納引き出しが互いに対面する側面に設けられるガイドレール部材の締結構造であって、
前記内側ケースの下端部の両側面に形成されたガイド溝部と、
前記ガイド溝部に延設される係止側壁と、
上端部が前記係止側壁に固定され、かつ下端部が前記ガイド溝部との間に所定の間隔を有する固定部材とを備え、
前記ガイドレール部材の固定側を前記固定部材の下端部の一側面に結合し、前記ガイドレール部材の移動側を前記収納式引き出しの側面に結合することを特徴とするガイドレール部材の締結構造。
【発明の詳細な説明】
【０００１】
【発明の属する技術分野】
本発明は漬物貯蔵庫に関するもので、より詳しくは、引き出し式野菜保管用内側ケースのガイド溝に沿って収納式引き出しを開閉するとき、円滑に作動できる漬物貯蔵庫用ガイドレール部材の締結構造に関する。
【０００２】
【従来の技術】
最近、冷蔵庫の原理を利用して漬物を熟成し、これを新鮮に保管する漬物貯蔵庫が多く使われるようになっってきた。一般の冷蔵庫は前面にドアを開閉するように構成されているが、この漬物貯蔵庫は容積が小さいために、冷蔵庫本体の上部面にヒンジ形式によって、漬物貯蔵庫のドアが取り付けられ、このドアを上部に反らして開閉するように構成されている。
【０００３】
通常、漬物貯蔵庫は、その内部に冷却装置と加熱装置とを備えている。したがって、漬物などの熟成時には、加熱装置のヒーターを駆動して貯蔵室内の温度を高める。それによって、貯蔵室内に保管されている漬物が熟成される。漬物が適当に熟成された後には、ヒーターの駆動を中止させると同時に、冷却装置を駆動して貯蔵室の温度を適宜維持して漬物の味と新鮮さを長期間に渡って保持することができる。
【０００４】
また、漬物を保存する形式として、漬物貯蔵庫は、漬物貯蔵庫のドアの開閉方式により、上部開閉式と引出し式に区別することができる。ここで、上部開閉式の漬物貯蔵庫は、ヒンジにより上部開閉式のドアが上方に開閉自在に設けられており、引出し式の漬物貯蔵庫は、引出し式の漬物貯蔵容器を水平に引き出せるように作られている。最近では、キムチだけを保管する２ドアタイプに、野菜まで新鮮なまま保管できるようにした野菜保管用収納引出しをさらに備えた３ドアタイプのキムチ貯蔵庫が供給される状況にある。
【０００５】
図１は一般的な複合型漬物貯蔵庫の外観を示す斜視図であり、図２は一般的な複合型漬物貯蔵庫の構成を示す断面図であり、図３は一般的な複合型漬物貯蔵庫の野菜貯蔵室を示す断面図である。
【０００６】
図示したように、従来の複合型漬物貯蔵庫は、保管されたキムチを冷却したり熟成したりする漬物貯蔵庫本体１と、漬物貯蔵庫の本体１を上部から閉じることができ、ヒンジ４によって動作可能な上部ドア２と、前記本体１の前面に形成された把手７により水平に開閉でき、野菜１１を新鮮なまま保管することができる収納式引き出し６とで構成される。
【０００７】
図２に示すように、漬物貯蔵庫本体１は、断熱材１０を内部に充填して取り囲んだ外側ケース１５と、収納式引き出し６を保管する内側ケース１６とで構成される。外側ケース１５は、断熱材１０により保温されるキムチ保管室８を備え、この室内にキムチ保管容器９が内蔵される。また、漬物貯蔵庫本体１は、蒸発管１３とヒーター（図示略）を備えており、保管室８及び収納引き出し６の両方の室内における温度を前面の操作パネル５により制御する。
【０００８】
また、冷却のための蒸発管１３は、野菜保管用内側ケース１６の天井部位に設けられ、内側ケース１６の遮断板１４により遮断されている。この蒸発管１３は、冷気を発生することによって、内側ケース１６に収納される収納式引き出し６に保管される野菜または果物を新鮮に保管することができる。
【０００９】
さらに、図３に示すように、野菜保管用内側ケース１６の両側面に形成されたガイド溝部２１には、把手７を押したり引っ張ったりすることによって開閉できるように、ガイドレール部材２０の一側面がネジ止めされ、ガイドレール部材２０の他側面は、収納式引き出し６の側面にネジ止めされたレールガイド２３と一体に結合する構造となっている。
【００１０】
このガイドレール部材２０は、外側レール部材と内側レール部材（またはローラ等を有する従動キャリア部材）とが組み合う形式で、スライド可能になっている。従って、収納式引き出し６をスライドさせて開閉動作を行うと、内側ケースのガイド溝部２１に結合したガイドレール部材２０に対して、内側レール部材、即ちキャリア部材が収納式引き出し６とともにスライド移動する。
【００１１】
また、前記野菜保管用内側ケース１６の外部には、断熱材１０等を装着して、断熱効果を得ることができる。
さらに、内側ケース１６の後面に、冷却サイクルのための圧縮機１２及び凝縮器（コンデンサ）などが配置される機械室３０が別々に仕切られている。
【００１２】
しかしながら、前記内側ケース１６の外部に断熱材１０を装着する時の強い圧力によって、ガイドレール部材２０が取り付けられる内側ケース１６の一部分が、変形されるため、収納式引き出し６を開閉する時、円滑なスライド動作ができないという問題点があった。
【００１３】
【発明が解決しようとする課題】
本発明は、このような従来技術の問題点を解消するものであり、その目的は、ガイドレール部材のスライド動作を円滑にして、漬物貯蔵庫における収納式引き出しの開閉をスムーズに行えるようにした、漬物貯蔵庫用ガイドレール部材の締結構造を提供することにある。
【００１４】
【課題を解決するための手段】
前述の目的を達成するために、本発明は、漬物貯蔵庫の内側ケース内に収納して、野菜を新鮮なまま保管する収納式引き出しと、前記内側ケースの下端部の両側面に形成されたガイド溝部との間に取り付けられる漬物貯蔵庫用ガイドレール部材の締結構造であって、
前記ガイド溝部の端部から外側に延在する係止側壁と、
上端部が前記係止側壁に固定され、かつ下端部が前記ガイド溝部との間に所定の間隔を有する固定部材とを備え、
前記ガイドレール部材の固定側を前記固定部材の下端部の一側面に結合し、前記ガイドレール部材の移動側を前記収納式引き出しの側面に結合することを特徴としている。
【００１５】
また、固定部材の下端部は、ガイド溝部の内側方向に折れ曲って形成されることが好ましい。
更に、固定部材の下端部とガイド溝部との間の間隔が、約１ｍｍに維持されることが好ましい。
【００１６】
【発明の実施の形態】
以下、添付図面を参照にして本発明の好ましい実施の形態について説明する。しかしながら、この発明およびそれ以外の関連する目的と特徴は、添付図面に基づく以下の説明と特許請求範囲に記載された新規な構成により明らかになる。
【００１７】
本発明に係る複合型漬物貯蔵庫の構成は、図１、図２を参照して説明した従来の技術と同様であり、ここでは簡略に説明する。
図１に示すように、本発明に係る漬物貯蔵庫は、保管されたキムチを冷却したり熟成したりする漬物貯蔵庫本体１と、漬物貯蔵庫の本体１を上部から閉じることができ、ヒンジ４によって動作可能な上部ドア２と、本体１の前面に形成された把手７により水平に開閉でき、野菜１１を新鮮に保管することができる収納式引き出し６とで構成される。
【００１８】
また、図２において、本体１には、断熱材１０を内部に充填して保管する外側ケース１５と、収納式引き出し６を保管するようにする内側ケース１６とが備えられている。
【００１９】
キムチ保管容器９は、キムチ保管室８に内蔵され、断熱材１０によって保温され、前面に操作パネル５が取り付けられている。また、野菜保管用内側ケース１６の天頂部位には、冷却のための蒸発管１３が設置され、冷気を発生することによって、内側ケース１６に収納される収納式引き出し６に保管される野菜または果物を新鮮に保存することができる。蒸発管１３は、内側ケース１６の遮断板１４によって遮断されている。
【００２０】
また、内側ケース１６の後面には、冷却サイクルのための圧縮機１２及び凝縮器などが配置される機械室３０が別々に仕切られている。さらに、野菜保管用内側ケース１６の外部には、断熱材１０等を装着して、断熱効果を得ることができる。
【００２１】
さらに、本発明の特徴部分を示す図４において、内側ケース１６の下端部の両側面には、ガイド溝部１１０が形成され、把手７を押したり引っ張ったりすることにより、収納式引き出し６がガイド溝部に沿って配置されたガイドレール部材２０をスライドさせて開閉することができる。このガイドレー部材２０は、固定側の外側レール部材と、移動側の内側レール部材、即ち、内側キャリア部材とが組み合う形式で、スライド可能になっている。
【００２２】
このような漬物冷蔵庫用ガイドレール部材において、本発明におけるガイドレール部材の締結構造は、図３に示す締結構造とは異なっている。
即ち、ガイド溝部１１０の端部から外側に延在した一側に係止側壁１１１が形成されている。また、この係止側壁１１１に固定される固定部材は、ここでは、上端部にネジ孔を有し、下端部にガイド溝部１１０の内側方向に折れ曲った折曲部分が形成されている。このため、固定部材１２０の上端部を係止側壁１１１にネジで固定すると、固定部材１２０の下端部は、ガイド溝部の底面との間に所定の間隔が形成される。この固定部材１２０の下端部とガイド溝部１１０との間の間隔は、約１ｍｍ程度に維持されることが好ましい。
【００２３】
さらに、固定部材１２０の下端部の一側面に、ガイドレール部材２０の固定側、即ち、外側レール部がネジ等の方法により一体に結合される。一方、ガイドレール部材２０の移動側を収納式引き出し６の一側にネジ止めされたレールガイド２３と一体に結合される。これにより、内側ケース１６の外部に断熱材１０を装着する時の圧力により内側ケース１６の一部分が変形されても、収納式引き出し６を開閉する時、円滑にスライド動作させることができる。
【００２４】
【発明の効果】
以上説明したことから、本発明は、ガイド溝部の端部から外側に延在する係止側壁と、上端部が係止側壁に固定され、かつ下端部がガイド溝部との間に所定の間隔を有する固定部材とを備え、ガイドレール部材の固定側を固定部材の下端部の一側面に結合し、ガイドレール部材の移動側を収納式引き出しの側面に結合したので、内側ケースの外部に断熱材が装着された場合に、温度変化等によって内側ケースに圧力変形が生じても、ガイドレール部材は、内側ケースのガイド溝部から離れた位置にあることから圧力変形の影響を受けることがなくなり、収納式引き出しの開閉時のスライド動作を円滑に行うことができる。
【図面の簡単な説明】
【図１】一般的な複合型漬物貯蔵庫の外観を示す斜視図である。
【図２】一般的な複合型漬物貯蔵庫の構成を示す断面面である。
【図３】一般的な複合型漬物貯蔵庫の野菜貯蔵室を示す断面図である。
【図４】本発明に係る漬物貯蔵庫の野菜室の一部を示す断面図である。
【図５】図４のＡ部分を拡大した図である。
【符号の説明】
１　　本体
２　　上部ドア
４　　ヒンジ
５　　操作パネル
６　　収納式引き出し
７　　把手
８　　キムチ保管室
９　　キムチ保管容器
１０　断熱材
１１　野菜
１２　圧縮機
１３　蒸発管
１４　遮断板
１５　外側ケース
１６　内側ケース
２０　ガイドレール部材
２１　ガイド溝部
２３　レールガイド
３０　機械室
１１０　　ガイド溝部
１１１　　係止側壁
１２０　　固定部材
【図１】
2004024031.tif 000003
【図２】
2004024031.tif 000004
【図３】
2004024031.tif 000005
【図４】
2004024031.tif 000006
【図５】
2004024031.tif 000007